(57)【要約】【課題】  一度撮影した画像の被写体を、異なる方向から見た場合の画像を表示し、撮影者が実際に移動しながら被写体の構図を観察することによる撮影時間と労力を少なくすることができるようにする。【解決手段】  デジタルカメラ100で撮影された被写体とカメラ100との距離により、被写体の視野角を算出し、且つ、デジタルカメラ100で撮影された画像の画像データに基づいて複数の視野角を算出した被写体の部分画像を切り出し、被写体とカメラ100の撮影位置の平面位置図をモニタ画面130に表示すると共に、カメラ100の位置を移動させたときの被写体の部分画像の配置関係も半透過画像でモニタ画面130に表示して撮影位置を変えた場合の被写体の構図を撮影画像に重ねて表示することによりモニタ可能としたデジタルカメラ100とする。【選択図】    図１
2006238082.tif 000002
【特許請求の範囲】
【請求項１】
カメラで撮影された被写体と前記カメラとの距離に基づいて、前記カメラの位置を移動させたときの被写体の構図の変化を示す画像を表示することを特徴とするデジタルカメラ。
【請求項２】
カメラで撮影された複数の被写体と前記カメラとの各々の距離に基づいて、前記カメラの位置を移動させたときの各被写体の相互位置の変化を示す画像を表示することを特徴とするデジタルカメラ。
【請求項３】
前記カメラを移動させたときの被写体の変化を示す画像を表示すると共に、レンズを通して逐次撮影される被写体の画像を前記モニタ画面上に逐次更新しながら表示し、変化を示した画像と逐次更新した画像とを前記モニタ画面上に重ね合わせて表示することを特徴とする請求項１又は請求項２に記載したデジタルカメラ。
【請求項４】
前記カメラを移動させたときの被写体の変化を示す画像は、半透過画像で表示することを特徴とする請求項１乃至請求項３の何れかに記載したデジタルカメラ。
【請求項５】
前記半透過画像の表示は、最初に撮影した画像から２つの部分画像を切り出して行うことを特徴とする請求項４に記載したデジタルカメラ。
【請求項６】
デジタルカメラで撮影された画像の画像データに基づき、複数の被写体の部分画像を切り出し、被写体とカメラの撮影位置の平面位置図をモニタ画面に表示すると共に、カメラの位置を移動させたときの被写体の部分画像の配置関係もモニタ画面に表示して撮影位置を変えた場合の被写体の構図をモニタ可能としたことを特徴とするカメラの撮影位置モニタ方法。
【発明の詳細な説明】
【技術分野】
【０００１】
本発明は、デジタルカメラに関し、尚詳しくは、一度撮影した被写体を角度を変えて再度撮影する際の構図の変化や撮影位置のガイドを表示するカメラに関するものである。
【背景技術】
【０００２】
今日、デジタルカメラと呼ばれる二次元ＣＣＤなどの撮像素子を用いたカメラが多用されるようになってきた。
【０００３】
このデジタルカメラでは、２００万画素、３００万画素、５００万画素など、画素数を増加させて高画質の画像を形成することができるようにすると共に、静止画のみならず、短時間の動画の記録も可能とされ、また、視野中央の被写体までの距離のみでなく、視野内の複数箇所で被写体までの距離を測定して視野全体の被写体に対してピントが大きくずれないように焦点調整をするなどのように、種々の機能が付加され、また、高機能化されている。
【０００４】
更に、シャッター操作により撮影することによってメモリに記録した複数の画像を合成して１枚の画像を形成する操作も、このカメラ本体で操作が可能とされるデジタルカメラも使用されるようになってきた。
なお、二次元ＣＣＤなどの撮像素子を用いた電子カメラシステムでは、複数回の撮影による画像を合成して１枚の写真を形成する装置において、被写体となる人物に立つ位置などを指示するようにした装置も提案されている（例えば特許文献１）。
【特許文献１】特開２００４−３４９９５９号公報
【発明の開示】
【発明が解決しようとする課題】
【０００５】
今日、デジタルカメラは、画像の高画質化と共にカメラの高機能化が施され、記録している画像データに簡単な加工を施すことや複数の画像を合成することも可能とされるようになってきた。
【０００６】
しかし、同一の被写体に対して角度を変えて撮影し直す場合に、移動方向や移動距離を、どの程度変化させると被写体の構図がどのように変化するかを示唆するものは無く、撮影者の想像力にたよることが多く、撮影者が実際に移動しながら被写体の構図を観察することが必要となるため、撮影に時間と労力を費やすことが多かった。
【０００７】
本発明は、このような労力を少なくし、一度撮影した画像の被写体を、異なる方向から見た場合の画像を表示することのできるカメラを提供するものである。
【課題を解決するための手段】
【０００８】
本発明は、デジタルカメラ（100）で撮影された被写体と前記カメラ（100）との距離により、前記カメラ（100）の位置を移動させたときのその被写体の構図の変化を前記カメラ（100）のモニタ画面（130）に表示することを可能とするデジタルカメラ（100）とするものである。
【０００９】
また、このデジタルカメラ（100）を移動させたときの新たな構図の被写体は、半透過画像で表示することが好ましく、レンズ（151,155）を通して逐次撮像される被写体の画像をモニタ画面（130）に逐次更新しながらこの撮像された画像のスルー画像と新たな構図の被写体の画像と重ね合わせて表示するものとする。
【００１０】
そして、この半透過画像の表示は、最初に撮影した画像から２つの部分画像を切り出して行うことが好ましく、各被写体部分とデジタルカメラ（100）との距離に基づいて、デジタルカメラ（100）を移動させたときの各被写体の相互位置の変化又は被写体の構図の変化を示す画像を表示するものである。
【００１１】
更に、本発明は、デジタルカメラ（100）で撮影された画像の画像データに基づき、複数の被写体の部分画像を切り出し、被写体とカメラ（100）の撮影位置の平面位置を示す位置図（136）をモニタ画面（130）に表示すると共に、カメラ（100）の位置を移動させたときの被写体の部分画像の配置関係もモニタ画面（130）に表示して撮影位置を変えた場合の被写体の構図をモニタ可能とするカメラ（100）の撮影位置モニタ方法とするものである。
【発明の効果】
【００１２】
本発明は、撮影された被写体の構図を変更する表示を行うことができるカメラであるため、撮影角度を変えて同一被写体の撮影を再度行う際の被写体の構図を容易に決定することができる。
【００１３】
また、撮影位置を変えた場合の被写体の構図をモニタ可能とする撮影位置モニタ方法であるから、同一被写体を異なる角度から撮影する際の時間や労力を少なくすることができる。
【発明を実施するための最良の形態】
【００１４】
本発明を実施するための最良の形態は、デジタルカメラ100で撮影された単一または複数個の被写体とカメラ100との距離により、デジタルカメラ100で撮影された画像の画像データに基づいて視野角を算出すると共に被写体の部分画像を切り出し、被写体とカメラ100の撮影位置の平面位置を示す位置図136をモニタ画面130に表示すると共に、カメラ100の位置を移動させたときの被写体の部分画像の相互位置を変化させた画像も半透過画像でモニタ画面130に表示して撮影位置を変えた場合の被写体の構図を撮影画像に重ねて表示するデジタルカメラ100とするものである。
【００１５】
このことにより、撮影位置を変えたときの被写体の構図をモニタ可能としていると共に、更に、被写体を見る向きを変えたときの被写体の構図や撮影位置を変えたときの複数の被写体の相互位置などを決定した画像を表示すると共に、レンズ151、155を通して撮像素子170により逐次撮像される被写体の画像もモニタ画面130に逐次更新しながら重ねて表示可能とするデジタルカメラ100である。
【実施例】
【００１６】
本発明に係るデジタルカメラは、図１に示すように、外観は従来のデジタルカメラ100と同様のデジタルカメラ100であり、カメラ100の正面に沈胴式のレンズ鏡筒102、ストロボ発光窓106、及び、ファインダ前窓104などを有すると共に、ボディの上面に電源スイッチ108及びシャッターボタン110などを有する。
【００１７】
さらに、図２に示すように、ボディの背面にファインダ後窓112、撮影ボタン116、再生ボタン118、ズームボタン114、メニューボタン120、方向移動ボタン122、セットボタン124、ディスプレイボタン126、及び、表示画面とする液晶モニタのモニタ画面130などを有し、ボディの底面には、図３に示すように、ＵＳＢ端子225と記憶媒体収納部のカバー132を有し、このカバー132の内部にバッテリー201や大容量の記憶媒体220（たとえば、カード型フラッシュメモリやカード型ハードディスクなど）を着脱できるようにしているものである。
【００１８】
なお、セットボタン124は、メニュー画面などでカーソルの表示がされたとき、方向移動ボタン122によりカーソルの移動を操作してメニュー画面に表示されたメニューを選択する場合に用いるものである。
【００１９】
また、メニューボタン120は各種メニューを表示させるためのものであって、撮影モード時に操作すると撮影画素数の設定、撮影画質として圧縮率の異なるファインモード、ノーマルモード、エコノミーモードの設定、静止画と動画や音声録音の切り換え、セルフタイマー、ストロボ、ホワイトバランスなどの各種撮影条件の設定を行うことができ、再生モード時に操作すると、画面の自動送り、プロテクトの設定、印刷枚数の設定、画像の回転、トリミング、リサイズなどの設定を行うことができると共に、後述する撮影位置の誘導モードも、メニューボタン120とセットボタン124により選択可能としているものである。
【００２０】
そして、ディスプレイボタン126は、モニタ画面130上に各種情報を表示するためのボタンであり、画素数、画質、静止画か動画又は音声の区別、日付、時間、バッテリー残量、メモリ残量などを表示し、又は表示を消去して画像だけの表示を行うように切り換えるものである。
【００２１】
そして、このデジタルカメラ100の内部構造は、図４に示すように、マイクロコンピュータが組み込まれた主制御回路180により撮像系や画像表示の制御を行っているものである。
【００２２】
このデジタルカメラ100のレンズ鏡筒102に組み込まれるフォーカスレンズ151やズームレンズ155、開口絞り168やメカシャッター167は撮像系制御回路160で制御するものであり、赤外線などを用いた距離速度検出部165や焦点検出センサ161からインターフェースを介して距離速度検出部165に入力される信号に基づき、視野中央の物体までの距離などを検出して撮像系制御回路160はドライバーを介してフォーカスモータ152を駆動し、オートフォーカス機能により撮像素子170に対象を鮮明に結像させ、また、ズームボタン114の操作に合わせてドライバーを介してズームモータ156を駆動して画像の倍率を変更するものである。
【００２３】
また、駆動制御部171により駆動される撮像素子170から出力された画像データ信号は、サンプルホールド回路173、オートゲインコントロール回路175によりレベル調整され、アナログデジタル変換回路177でデジタル画像データに変更される。
【００２４】
そして、画像処理部182で輝度信号と色差信号にされて記憶媒体220や内部のメモリ210に記憶され、また、ＲＧＢ信号とされて表示制御部185のフレームメモリ187や内部のメモリ210又は記憶媒体220としてのメモリに書き込まれ、表示制御部185のフレームメモリ187に書き込まれたときは表示部189であるモニタ画面130に表示されるものである。
【００２５】
なお、電源スイッチ108が操作されたとき、カメラ100内に収納されているバッテリー201から電源制御部203を介して各部に電力が供給され、視野が暗いときはフラッシュ駆動部205に充電を行ってストロボランプ207の点灯準備を行い、また、ズームボタン114、方向移動ボタン122、セットボタン124、などの操作部190におけるボタンやスイッチが操作されたときは入力回路192を介して操作信号が主制御回路180に入力され、操作されたボタンなどに応じてズーム処理や画像処理が行われるものである。
【００２６】
この画像処理では、電源スイッチ108がオン状態とされ、撮影ボタン116が操作されて撮影モードが設定されたときは、撮像素子170で撮影している画像をそのままスルー画像としてモニタ画面130に表示し、ズームボタン114が操作されるとズームモータ156を駆動して倍率を変更し、光学ズームが最大になると画像処理による電子ズーム処理により倍率の変更を行いつつスルー画像をモニタ画面130に表示し、シャッターボタン110が操作されたときの画像データをメモリに記録するものである。
【００２７】
また、再生ボタン118が操作されると再生モードの画像処理を行い、メモリに記録している画像データによりＲＧＢ信号を表示制御部185のフレームメモリ187に書き込み、この画像データに基づく画像をモニタ画面130に表示する。
【００２８】
そして、画像データに基づく画像表示を行うに際しては、全画素を制御する通常表示のほか、縦及び横の数画素毎の画素データによる画像表示を行うことにより、半透過画像として画像を表示するなどの特殊画像表示も可能としているものである。
【００２９】
なお、半透過画像を表示する方法として、画像データを縦及び横の数画素毎に間引いてフレームメモリ187に書き込む方法を用いる他、背景画像の画素の色と半透過画像における同じ画素の色とを平均化するなどの画素演算を行ってフレームメモリ187上の画素データを書き換える方法などを利用することもできる。
【００３０】
さらに、このカメラ100では、撮影位置を誘導する誘導モードを選択すると、１度撮影した画像の被写体を移動させた半透過画像の表示を行うものである。
この誘導モードでは、図５に示すようにカメラからの距離の異なる被写体Ｘと被写体Ｙとを含む視野を、図６に示すようにモニタ画面130にスルー画像で表示したときにシャッターボタン110を操作して撮影を行うと、被写体Ｘと被写体Ｙとの画像Ｘ'，Ｙ'を含むこの画像を縮小したモニタ画像図137と位置図136とを、図７に示すように、モニタ画面130に表示するものである。
【００３１】
なお、この位置図136は、カメラ100からの距離を測定した被写体の内、部分画像として切り出す被写体Ｘ及び被写体Ｙとの位置関係を示す図である。
また、この被写体Ｘ及び被写体Ｙは、各々独立した物体としての被写体に限ることなく、単一物体の異なる部分の場合もある。
【００３２】
そして、図７に示したように、この位置図136にカーソルＫの表示を行うものであって、方向移動ボタン122を操作することによりカーソルＫを移動させると、被写体Ｘ及び被写体Ｙの画像Ｘ'，Ｙ'とあわせて被写体Ｘ及び被写体Ｙの半透過画像Ｓを重ねて表示するモニタ画像図137の表示を行い、このモニタ画像図137における被写体Ｘ及び被写体Ｙの半透過画像Ｓの表示位置を移動させるものである。
【００３３】
この移動による被写体Ｘ及び被写体Ｙの半透過画像Ｓは、図８に示すように、最初のカメラ100の撮影位置Ａに対してモニタ画面130に表示された位置図136中のカーソルＫの位置をカメラ100の位置Ｂとしたときの切り出した被写体Ｘ及び被写体Ｙの構図を表示するものである。
【００３４】
この半透過像Ｓによる被写体Ｘ及び被写体Ｙの像Ｘ'，Ｙ'の移動に際しては、この被写体Ｘ及び被写体Ｙを含む視野を撮影するためにシャッターボタン110が操作されたとき、視野内の複数点で被写体までの距離を測定するものであり、被写体Ｘ及び被写体Ｙまでの距離Ｌ1、Ｌ2を距離速度検出部165で測定することにより、カメラ100からの距離の異なる被写体Ｘ及び被写体Ｙを含む複数の被写体までの各距離データを画像データと合わせてメモリ210に記録すると共に、この撮影時のズーム率もメモリ210に記録するものである。
【００３５】
そして、主制御回路180は、記録した距離データにより画面中央から被写体Ｘ及び被写体Ｙのズレ量Ｎ及び被写体Ｘ及び被写体Ｙまでの距離Ｌ1、Ｌ2により被写体Ｘ及び被写体Ｙのカメラ100正面からの視野角θ1、θ2を式（１）に基づく式（２）や式（３）により算出する。
【００３６】
【数１】
2006238082.tif 000003
【００３７】
但し、Ｎはモニタ画面130の中央から被写体Ｘや被写体Ｙの測距点におけるモニタ画面130上の画素数のズレ数であり、Ｔはズーム率が１倍のとき１メートル先の１０センチメートルなどの基準長さの物体がモニタ画面130上の何画素で表示されるかに基づいて定められる定数、Ｚはズーム倍率である。
【００３８】
このようにして、画面中央からの視野角及びカメラ100からの距離により位置図136をモニタ画面130に表示すると共に、位置図136に表示されるカーソルＫの位置を検出し、被写体Ｘや被写体Ｙまでの距離Ｌ3、Ｌ4をモニタ画面130の画素数から算出してカーソルＫの位置から被写体Ｘや被写体Ｙを見た状態の視野角を算出し、この状態の被写体Ｘ及び被写体Ｙの像を半透過画像Ｓでモニタ画像図137に表示するものである。
【００３９】
従って、図７に示したように、モニタ画面130に表示されるカーソルＫの位置を方向移動ボタン122により位置図136上で移動させると、カーソルＫの移動に合わせて半透過画像Ｓで表示された被写体Ｘ及び被写体Ｙの像が水平方向に移動し、撮影位置を変えた場合の被写体Ｘや被写体Ｙの位置関係を変化させた構図をモニタ画像図137として表示することによりモニタすることができる。
【００４０】
そして、このモニタ画像図137を位置図136と共にモニタ画面130に表示する誘導モードでは、更にカーソルＫの位置を所定の位置で確定するようにセットボタン124を操作すると、図９に示すように、モニタ画面130に表示された位置図136には、元の撮影位置Ｐ1の位置の表示と設定したカーソルＫの位置を表示し、モニタ画像図137に換えて誘導画像138を表示するものである。
【００４１】
この誘導画像138は、撮像素子170で撮像している画像データによるスルー画像と確定させた半透過画像Ｓとを重ねて表示するものである。
即ち、この誘導画像138は、被写体Ｘ及び被写体Ｙの半透過画像Ｓをセットボタン124の操作時の状態で表示すると共に、撮像素子170で逐次撮像している被写体の画像をモニタ画面130に逐次更新しながら表示することによりカメラ100を向けた被写体を含むスルー画像の表示を行うものであり、カメラ100を被写体Ｘ及び被写体Ｙの方向に向けると、被写体Ｘ及び被写体Ｙを含む被写体までの距離と視野角とにより現在位置Ｐ0を位置図136に表示するものである。
【００４２】
この誘導モードにおける主制御回路180の動作は、図１０に示すように、誘導モードが選択されると、シャッターボタン110が操作されたか否かの判断であるシャッター操作の判断（Ｓ１０１）、及び、モード切り換えの操作が行われたか否かの判断であるモード切換え判断（Ｓ１０３）を繰り返し、シャッターボタン110が操作されると画像データをメモリに記憶する画像データ記憶（Ｓ１０５）を行うものである。
【００４３】
なお、モードが切り換えられたときは誘導モードを終了して選択されたモードの処理を行うものである。
そして、シャッターボタン110が操作されたときは、画像データ記憶（Ｓ１０５）を行うと共に、複数の被写体までの距離を読み込む焦点距離読込み（Ｓ１０７）を行い、前述の式である式（１）に基づいて距離の異なる２つの被写体の視野角θ1、θ2を算出する画角算出（Ｓ１１０）を行う。
【００４４】
【数２】
2006238082.tif 000004
【００４５】
但し、Ｌは被写体までの距離、Ｎはモニタ画面130の中央から被写体の測距点におけるモニタ画面130上の画素数のズレ数であり、Ｚはズーム倍率、Ｔはズーム率が１倍のとき１メートル先の基準長さの物体がモニタ画面130上の何画素で表示されるかに基づいて定められる定数である。
【００４６】
さらに、前述の画像データ記憶（Ｓ１０５）でメモリに記憶した画像データを読み出す画像データ読出し（Ｓ１１２）を行い、図７に示した位置図136と撮影画像をモニタ画面130にモニタ画像図137として表示する移動図表示（Ｓ１１４）を行う。
【００４７】
そして、この移動図表示（Ｓ１１４）では、位置図136にカーソルＫの表示を行っているものであり、このカーソルＫの位置を方向移動ボタン122の操作により位置図136において表示位置を移動させると、この方向移動ボタン122により移動させたカーソルＫの位置を読み取るカーソル位置読込み（Ｓ１１６）を行い、読み取ったカーソルＫの位置から前述の距離測定を行った被写体を見たときの視野角を算出してこの被写体の移動量を算出し、この移動状態の半透過画像をモニタ画像図137に表示する特定被写体移動表示（Ｓ１１８）を行うものである。
【００４８】
さらに、セットボタン124の操作による移動先の決定が行われたか否かの判断である移動先決定判断（Ｓ１２０）やメニューボタン操作などによる誘導モードの終了又は他のモードへの変更などが行われるか否かの判断であるモード切換え判断（Ｓ１２２）を行い、セットボタン124の操作により移動先決定やモード切換えが行わなければ、カーソル位置読込み（Ｓ１１６）と特定被写体移動表示（Ｓ１１８）を繰り返すものである。
【００４９】
そして、セットボタン124の操作による移動先の決定が行われたときは、セットボタン124が操作された時のカーソルＫの位置を読み込むカーソル位置記憶（Ｓ１２４）を行うと共に、このときにモニタ画像図137に表示している特定被写体の半透過画像Ｓの表示位置を記憶する半透過画像記憶（Ｓ１２６）を行うものである。
【００５０】
このセットボタン124の操作による移動先決定が行われて半透過画像記憶（Ｓ１２６）を行うと、この半透過画像Ｓを固定表示としてモニタ画面130に表示すると共に撮像素子170により形成した画像データを読み込んでモニタ画面130に表示するスルー画像の表示を行うための画像データ読込み（Ｓ１３０）を行ってモニタ画面130には誘導画像138の表示を行い、この画像データにより特定被写体までの距離を読み込む焦点距離読込み（Ｓ１３２）も行うものである。
【００５１】
そして、このときの特定被写体からの距離により、図９に示したように、位置図136に現在位置の表示を行う現在地表示（Ｓ１３４）を行い、この誘導画像138を表示している画面にスルー画像を表示するか、又は、モニタ画面130の全体を用いて通常のスルー画像表示を行うかの設定切換えが行われるか否かの判断である標準表示モード判断（Ｓ１３６）を行い、シャッターボタン110が操作されたか否かの判断であるシャッター操作判断（Ｓ１５０）を行う。
【００５２】
そして、標準表示モードへの切換えやシャッターボタン110の操作が行われないときは誘導モードを終了するモード切り換えの操作が行われたか否かの判断（Ｓ１５２）を行い、誘導モードを終了する操作が行われないときは撮像素子170からの画像データを読み込んでスルー画像表示を行う画像データ読込み（Ｓ１３０）に戻る。
【００５３】
この画像データ読込み（Ｓ１３０）に戻ることにより、決定されている半透過画像Ｓと現在カメラ100の視野に入る景色のスルー画像を半透過画像Ｓと重ねてモニタ画面130に誘導画像138として表示すると共に位置図136をあわせて表示することを継続し、標準表示モードへの変更が操作されるとスルー画像表示のみの通常表示に切り換える表示切換え（Ｓ１３８）を行うものである。
【００５４】
この表示切換え（Ｓ１３８）を行ったときは、撮像素子170で捉えた画像の画像データを読み込む画像データの読込み（Ｓ１４０）を行ってスルー画像としてモニタ画面130に表示する通常の画像表示を行いつつ、誘導画像138と位置図136とを表示する誘導モードに戻る否かの判断である誘導モード判断（Ｓ１４２）を行ってシャッターボタン110が操作されるか否かの判断（Ｓ１４４）を行い、また、位置図136の表示と合わせて半透過画像をスルー画像に重ねた誘導画像138の表示に戻る場合はシャッター操作判断（Ｓ１５０）に戻るものである。
【００５５】
この表示切換え（Ｓ１３８）の後のシャッターボタン110の操作判断（Ｓ１４４）、又は誘導表示においてシャッターボタン110の操作判断（Ｓ１５０）によりシャッターボタン110が操作をされたときは、画像データをメモリに記憶する画像データ記憶（Ｓ１５４）及び複数被写体の焦点距離を読み込む焦点距離読込み（Ｓ１５６）を行い、モード切り換えが行われて誘導モードを終了するか否かの判断であるモード切換え判断（Ｓ１６０）を行うものである。
【００５６】
そして、モードが切り換えられると誘導モードを終了して選択された新しいモードに移行し、モード切換えが行われなければ画角算出（Ｓ１１０）に戻り、カーソルによる撮影場所を変更した場合の被写体の構図を表示することを行うものである。
【００５７】
このように、本発明の実施の形態は、視野内の複数の被写体までの距離又は被写体の複数箇所までの距離を測定し、モニタ画面130に表示する画像の画素数によりカメラ100正面からの被写体方向を求め、被写体の方向と距離をモニタ画面130に表示すると共にカメラ位置を移動させたときの被写体の位置変化を表示するものであるから、同一被写体の撮影方向を変化させたときの構図の予想を容易とすることができるものである。
【００５８】
なお、上記実施例は、２つの被写体の部分画像を切り出すようにして画像を変化させているも、切り出す部分画像は２つに限るものでなく、より多くの部分画像を切り出すと構図の変化をより詳細とすることができる。尤も、２つの部分画像を切り出すときは、カメラ100の主制御回路180の負担を軽くし、誘導画像などの表示をすばやく行うことができる。
【産業上の利用可能性】
【００５９】
本発明に係るデジタルカメラ100は、撮影した画像データにより撮影位置を変更した場合の被写体の構図の変化の概要をモニタ画面130に表示することができ、同一被写体を角度を変えて撮影する場合の撮影位置の決定を容易とすることができる。
【図面の簡単な説明】
【００６０】
【図１】本発明に係るデジタルカメラの外観の一例を示す正面斜視図。
【図２】本発明に係るデジタルカメラの外観の一例を示す背面斜視図。
【図３】本発明に係るデジタルカメラの外観の一例を示す底面斜視図。
【図４】本発明に係るデジタルカメラの内部機構の一例を示す図。
【図５】本発明に係るデジタルカメラによる被写体の撮影状況の概略を示す平面図。
【図６】本発明に係るデジタルカメラにより撮影された画像の一例を示す図。
【図７】本発明に係るデジタルカメラでの誘導モードにおける撮影位置を変化させる場合のモニタ画像図と位置図との表示例を示す図。
【図８】本発明に係るデジタルカメラで撮影位置を変化させた場合のカメラ位置と被写体の位置関係の概略を示す平面図
【図９】本発明に係るデジタルカメラでの誘導モードにおける撮影位置を変化させる場合の誘導画像と位置図との表示例を示す図。
【図１０】本発明に係るデジタルカメラの誘導モードの処理手順を示すフローチャート図。
【符号の説明】
【００６１】
１００  デジタルカメラ
１０２  レンズ鏡筒                １０４  ファインダ前窓
１０６  ストロボ発光窓            １０８  電源スイッチ
１１０  シャッターボタン          １１２  ファインダ後窓
１１４  ズームボタン              １１６  撮影ボタン
１１８  再生ボタン                １２０  メニューボタン
１２２  方向移動ボタン            １２４  セットボタン
１２６  ディスプレイボタン        １３０  モニタ画面
１３２  カバー
１３６  位置図                    １３７  モニタ画像図
１３８  誘導画像
１５１  フォーカスレンズ          １５２  フォーカスモータ
１５３  ドライバー                １５５  ズームレンズ
１５６  ズームモータ              １５７  ドライバー
１６０  撮像系制御回路            １６１  焦点距離センサ
１６３  インターフェース          １６５  距離速度検出部
１６７  メカシャッター            １６８  開口絞り
１７０  撮像素子                  １７１  駆動制御部
１７３  サンプルホールド回路    
１７５  オートゲインコントロール回路
１７７  アナログデジタル変換回路
１８０  主制御回路                １８２  画像処理部
１８５  表示制御部                １８７  フレームメモリ
１８９  表示部                    １９０  操作部
１９２  入力回路
２０１  バッテリー                ２０３  電源制御部
２０５  フラッシュ駆動部          ２０７  ストロボランプ
２１０  メモリ                    ２２０  記憶媒体
２２３  インターフェース          ２２５  ＵＳＢ端子
２２７  インターフェース
【図１】
2006238082.tif 000005
【図２】
2006238082.tif 000006
【図３】
2006238082.tif 000007
【図４】
2006238082.tif 000008
【図５】
2006238082.tif 000009
【図６】
2006238082.tif 000010
【図７】
2006238082.tif 000011
【図８】
2006238082.tif 000012
【図９】
2006238082.tif 000013
【図１０】
2006238082.tif 000014